(57)【特許請求の範囲】
【請求項１】
髪処理用の加熱部（１７）を備えている本体部（１）と、本体部（１）に装着した状態において加熱部（１７）の外面を覆う筒状の保護キャップ（２）とを備えており、
横臥姿勢で載置面（Ｔ）に載置した状態の保護キャップ（２）の外面に、載置面（Ｔ）上に載置される載置部（２５）と、本体部（１）を支持する受止部（２６）とが設けられており、
保護キャップ（２）が本体部（１）の載置台を兼ねており、
保護キャップ（２）の周壁に、内外方向へ弾性変形可能な弾性腕（３１）が設けられており、
弾性腕（３１）の遊端の外面に載置部（２５）を構成する接脚体（３２）が設けられており、
本体部（１）を受止部（２６）で支持する状態において、弾性腕（３１）が弾性変形してクッション機能を発揮できることを特徴とする美容機器。
【発明の詳細な説明】
【技術分野】
【０００１】
本発明は、髪処理用の加熱部を有し、さらに、髪処理部の外面を覆う保護キャップを備えている美容機器に関する。本発明に係る美容機器としては、ストレートアイロン、ヘアセッター、ロールアイロンなどの機器が対象となる。
【背景技術】
【０００２】
この種の美容機器として、例えば特許文献１の携帯用のヘアカーラー（ヘアセッター）が公知である。そこでは、本体部の一端に髪処理部を設け、髪処理部の外面を覆う筒状の保護キャップを本体部に対して着脱できるようにしている。髪処理部には電熱部と、電熱部に対して接離する髪押えアームとが設けてあり、保護キャップは、不使用状態の電熱部と髪押えアームの周囲空間を覆って保護する。
【０００３】
本発明に係る保護キャップは、その周面に設けたリブ状の突起を載置面に接触させて、キャップ本体の周面を載置面から浮き離れた状態で支持するが、この種の突起を備えた美容機器は、例えば特許文献２に開示されている。そこでは、グリップを兼ねるホルダーの一端に設けられる加熱棒と、加熱棒に対して接離揺動する髪押え板とでヘアアイロンを構成している。ホルダーの加熱棒側の端部には周回状の鍔が設けてあり、この鍔を載置面に接触させて、加熱棒を載置面から浮き離れた状態で支持している。
【先行技術文献】
【特許文献】
【０００４】
【特許文献１】特開平１１−２３５２２４号公報（段落番号００２３、図１）
【特許文献２】特開昭５８−０９２３０９号公報（第２頁右下欄、図８）
【発明の概要】
【発明が解決しようとする課題】
【０００５】
特許文献１のヘアカーラーの保護キャップは、不使用状態の電熱部と髪押えアームの周囲空間を覆って、電熱部および髪押えアームが他物と接触するのを防止できる。しかし、電熱部を加熱した状態においてヘアカーラーを横臥姿勢で載置すると、電熱部が載置面に接触して、載置面が過熱状態に陥るおそれがあるため、使用を一時的に中断したい場合のヘアカーラーの置き場に困る。その点、特許文献２のヘアアイロンによれば、加熱された状態の加熱棒を載置面から浮き離れた状態で支持できるので、ヘアアイロンの使用を一時的に中断することができる。しかし、横臥姿勢で載置した状態における加熱棒と載置面の距離がごく僅かでしかないため、載置面に可燃物がある状況でヘアアイロンを長時間放置する場合に、可燃物が過熱され焼け焦げるおそれがあり安全性に問題がある。
【０００６】
本発明の目的は、保護キャップを美容機器の本体部の載置台として利用でき、たとえ加熱状態の本体部であっても過熱状態に陥ることもなく安全に、しかも安定した状態で支持できる美容機器を提供することにある。
本発明の目的は、本体部に付随する電源コードを、保護キャップを利用して整然と巻込み収納できる美容機器を提供することにある。
【課題を解決するための手段】
【０００７】
本発明に係る美容機器は、髪処理用の加熱部１７を備えている本体部１と、本体部１に装着した状態において加熱部１７の外面を覆う筒状の保護キャップ２とを備えている。図４に示すように、横臥姿勢で載置面Ｔに載置した状態の保護キャップ２の外面に、載置面Ｔ上に載置される載置部２５と、本体部１を支持する受止部２６とを設け、保護キャップ２が本体部１の載置台を兼ねていることを特徴とする。
【０００８】
保護キャップ２の周面に、本体部１を保護キャップ２の周面から浮き離れた状態で支持する複数の受止めリブ３８・３９・４０を形成する（図１参照）。
【０００９】
載置部２５が受止めリブ３８で構成する（図９参照）。
【００１０】
保護キャップ２の周面に、本体部１のずれ動きを防ぐずれ防止構造を設ける。
【００１１】
ずれ防止構造は、保護キャップ２の周面に設けた凹部５６で構成する（図１２参照）。
【００１２】
ずれ防止構造は受止めリブ３９・４０で構成する（図１参照）。
【００１３】
本体部１の加熱部１７の近傍に、ずれ防止構造と係合して本体部１のずれ動きを防ぐずれ止め突起４３・４４を設ける（図４参照）。
【００１４】
装填口２３に臨む保護キャップ２の周壁に、内外方向へ弾性変形可能な弾性腕３１を設ける。本体部１を保護キャップ２に装填した状態において、ずれ止め突起４４が弾性腕３１と係合して、保護キャップ２の分離を規制できるようにする（図７参照）。
【００１５】
弾性腕３１の遊端の外面に載置部２５を構成する接脚体３２を設ける。本体部１を受止部２６で支持する状態において、弾性腕３１が弾性変形してクッション機能を発揮できるようにする（図９参照）。
【００１６】
保護キャップ２の外面に、本体部１から導出された電源コード２０を巻込み収納するコード巻装構造を設ける。
【００１７】
コード巻装構造は、保護キャップ２の一端に設けた第１巻装部２７と、保護キャップ２の他端に設けた第２巻装部２８とで構成する（図１０参照）。
【００１８】
第１巻装部２７と第２巻装部２８に巻込んだ電源コード２０の一部が弾性腕３１の外面と対向して、弾性腕３１の外向きの弾性変形を規制する（図１０参照）。
【００１９】
図１６に示すように、コード巻装構造は、保護キャップ２の周面の一端寄りに設けた第１巻装突起６３と、保護キャップ２の周面の他端寄りに設けた第２巻装突起６４とで構成する。
【００２０】
保護キャップ２の外面に、電源コード２０の差込プラグ２１を保持するプラグ保持構造を設ける。
【００２１】
プラグ保持構造は、差込プラグ２１の近傍の電源コード２０が掛止される掛止フック４８で構成する（図１０参照）。
【００２２】
プラグ保持構造を、保護キャップ２の外面のブラケット６８に設けたプラグ穴６７で構成し、差込プラグ２１のプラグ刃２２をプラグ穴６７に差込んで固定できるようにする（図１８参照）。
【００２３】
装填口２３と対向する保護キャップ２の内奥部に、加熱部１７の熱を保護キャップ２の外へ放出するための放熱開口２４を形成する。
【発明の効果】
【００２４】
本発明においては、本体部１と、筒状の保護キャップ２とで美容機器を構成し、保護キャップ２の外面に載置部２５と受止部２６とを設けて、保護キャップ２を載置面Ｔに横臥姿勢で載置したのち、その受止部２６に加熱状態の本体部１を載置できるようにした。このように、保護キャップ２を本体部１の載置台として利用すると、本体部１の加熱部１７を、載置面Ｔから少なくとも保護キャップ２の高さ寸法分だけ離すことができるので、載置面Ｔが過熱状態に陥るおそれのない、安全性に優れた美容機器が得られる。また、保護キャップ２を本体部１の載置台として利用するので、別途、載置台を用意する場合に比べて、美容機器の全体構造を簡素化して製造に要するコストを削減できる。
【００２５】
保護キャップ２の周面に複数の受止めリブ３８・３９・４０を形成すると、各リブ３８・３９・４０で本体部１を受止めることにより、本体部１を保護キャップ２の周面から浮き離れた状態で支持して、両者１・２の接触面積を小さくできる。したがって、本体部１に設けた加熱部１７の熱が保護キャップ２の側へ伝導するのを抑制でき、たとえ本体部１が長時間にわたって放置されるような場合であっても、保護キャップ２が高温になるのを解消できる。周面に形成した複数の受止めリブ３８・３９・４０で保護キャップ２の構造強度を向上し堅牢度を向上できる利点もある。
【００２６】
載置部２５を受止めリブ３８で構成すると、受止めリブ３８の突出寸法分だけ保護キャップ２を載置面Ｔから浮き離れた状態で支持して、両者２・Ｔの接触面積を小さくできる。したがって、保護キャップ２の熱が載置面Ｔの側へ伝導するのを抑制して、載置面Ｔが過熱状態になる危険性をさらに低減できる。
【００２７】
保護キャップ２の周面にずれ防止構造を設けると、保護キャップ２に載置した状態の本体部１に誤って接触した場合などに、本体部１が保護キャップ２の周面に沿ってずれ動くのを防止して、本体部１を安定した状態で支持できる。したがって、保護キャップ２からずれ落ちた本体部１の加熱部１７が使用者の肌に接触して火傷を負ったり、可燃物が加熱部１７の熱を受けて過熱状態に陥り、あるいは耐熱性に劣るプラスチック成形品が熱変形するなどの、加熱部１７に由来する事故を良く防止できる。
【００２８】
保護キャップ２の周面に設けた凹部５６を要素にしてずれ防止構造を構成すると、本体部１を凹部５６に載置するだけで、本体部１のずれ動きを防止できる。また、凹部５６自体が受止部２６として機能するので、構造の無駄を省いて保護キャップ２の製造コストを削減できる。
【００２９】
保護キャップ２の周面に設けた受止めリブ３９・４０を利用してずれ防止構造を構成すると、加熱部１７の熱が保護キャップ２へ伝導するのを抑制しながら、同時に受止めリブ３９・４０で本体部１のずれ動きを規制できる。したがって、保護キャップ２の構造をさらに簡素化して製造コストを削減できる。
【００３０】
本体部１の加熱部１７の近傍にずれ止め突起４３・４４を設け、このずれ止め突起４３・４４を保護キャップ２に設けたずれ防止構造に係合させると、さらに確実に本体部１のずれ動きを防ぐことができる。とくに、ずれ防止構造が受止めリブ３９・４０、あるいは凹み部分で構成してある場合には、受止めリブ３９・４０とずれ止め突起４３・４４、あるいは凹み部分とが係合しあって本体部１のずれ動きを規制するので、本体部１が外力を受けてずれ動くのを確実に防止できる。
【００３１】
本体部１を保護キャップ２に装填した状態において、ずれ止め突起４４を保護キャップ２の弾性腕３１と係合させると、保護キャップ２が本体部１から分離しようとするのをずれ止め突起４４で規制できる。したがって、収納時や美容機器の取り扱い時に、保護キャップ２が脱落して加熱部１７や髪処理部１５が露出するのを防止でき、加熱部１７および髪処理部１５の保護を適確に行なえる。
【００３２】
弾性腕３１の遊端の外面に設けた接脚体３２を利用して載置部２５を構成すると、弾性腕３１が弾性変形することでクッション機能を発揮できる。たとえば、本体部１を保護キャップ２に載置するとき、誤って本体部１を保護キャップ２に対して衝撃を伴う状態で載置してしまうことがあるが、こうした場合に、弾性腕３１が弾性変形して本体部１の衝突衝撃を吸収できる。したがって、本体部１が衝撃を伴う状態で載置されるような場合であっても、本体部１あるいは保護キャップ２の表面が傷ついたり、保護キャップ２の一部が破損するのを防止できる。
【００３３】
保護キャップ２の外面にコード巻装構造を設けると、本体部１から導出された電源コード２０をコード巻装構造に巻込むことにより、本体部１と保護キャップ２と電源コード２０の三者をコンパクトにまとめた状態で収納し、あるいは取り扱うことができる。また、保護キャップ２が本体部１から分離するのを、コード巻装構造に巻込んだ電源コード２０で規制できるので、保護キャップ２を紛失することがない。
【００３４】
保護キャップ２の一端に設けた第１巻装部２７と、保護キャップ２の他端に設けた第２巻装部２８とでコード巻装構造を構成すると、保護キャップ２の長手方向に沿って電源コード２０を巻込むことができる。したがって、コード巻装構造に巻付けるときの、電源コード２０の巻付け回数を少なくして、電源コード２０を収納する手間を省くことができるうえ、電源コード２０の巻姿が肥大化するのを避けてコンパクトにできる。
【００３５】
両巻装部２７・２８に電源コード２０を巻込んだ状態において、その一部を弾性腕３１の外面と対向させると、弾性腕３１が外向きに弾性変形するのを電源コード２０で規制できる。したがって、電源コード２０をコード巻装構造から取り外さない限りは、ずれ止め突起４４と弾性腕３１との係合状態を維持し続けて、保護キャップ２が本体部１から脱落するのを防止できる。
【００３６】
保護キャップ２の周面の一端寄りに設けた第１巻装突起６３と、他端寄りに設けた第２巻装突起６４とでコード巻装構造を構成すると、図１７に示すように電源コード２０を保護キャップ２の表面の一側にまとめた状態で整然と巻付けることができる。また、保護キャップ２の表面の一側にコード巻装構造を配置するので、電源コード２０の巻付け収納を簡便かつ迅速に行なえる。
【００３７】
保護キャップ２の外面にプラグ保持構造が設けてあると、電源コード２０をコード巻装構造に巻付けたのち、差込プラグ２１をプラグ保持構造に装着することにより、電源コード２０が解離するのを防止できる。したがって、電源コード２０の巻姿を維持したコンパクトな状態のままで美容機器を収納し保管できる。
【００３８】
プラグ保持構造が掛止フック４８で構成してあると、コード巻装構造から食み出た電源コード２０の長さが大小に異なる場合であっても、電源コード２０を掛止フック４８に支障なく装着して、電源コード２０の解離を確実に防止できる。さらに、ユーザーの好みや必要に応じて、電源コード２０の任意の位置を掛止フック４８に装着できる。
【００３９】
プラグ保持構造をブラケット６８に設けたプラグ穴６７で構成すると、プラグ刃２２をプラグ穴６７に差込むことにより、コード巻装構造に巻付けた電源コード２０の解離を防止できる。また、プラグ刃２２を保護キャップ２のブラケット６８に固定するので、美容機器を取扱う際にプラグ刃２２をブラケット６８で保護することができ、たとえば、プラグ刃２２が他物に衝突して変形するのを防止できる。
【００４０】
保護キャップ２の内奥部に放熱開口２４を設けると、使用直後の本体部１を保護キャップ２に装填した状態において、加熱部１７から保護キャップ２の内部へ放出された熱を、放熱開口２４から効果的に放出できる。したがって、加熱部１７の熱が保護キャップ２の内部に籠るのを解消でき、使用直後の美容機器の取扱いを安全に行える。
【図面の簡単な説明】
【００４１】
【図１】本発明に係る保護キャップを載置台として使用する状態の平面図である。
【図２】本体部と保護キャップを分離した状態の正面図である。
【図３】本発明に係る保護キャップの縦断正面図である。
【図４】本体部を保護キャップに載置した状態を示す使用状態説明図である。
【図５】本体部を保護キャップに装填した状態の側面図である。
【図６】図５におけるＡ−Ａ線断面図である。
【図７】図５におけるＢ部の拡大断面図である。
【図８】図１におけるＣ−Ｃ線断面図である。
【図９】保護キャップを載置台として使用する状態の一部を破断した正面図である。
【図１０】電源コードを巻付け収納した状態の美容機器の正面図である。
【図１１】本発明の別実施例に係る美容機器の分解正面図である。
【図１２】本発明別の別実施例に係る保護キャップの平面図である。
【図１３】図１２におけるＤ−Ｄ線断面図である。
【図１４】本発明の別実施例に係る保護キャップの要部のみの断面図である。
【図１５】本発明の別実施例に係る保護キャップの要部のみの正面図である。
【図１６】本発明の別実施例に係る保護キャップの使用状態を示す平面図である。
【図１７】図１６に係る保護キャップに本体部を装填した状態の正面図である。
【図１８】本発明の別実施例に係る保護キャップの要部のみの正面図である。
【図１９】本発明の別実施例に係る保護キャップの使用例を示す正面図である。
【図２０】図１９に係る保護キャップの使用例を示す側面図である。
【発明を実施するための形態】
【００４２】
（実施例）  図１ないし図８は本発明をストレートアイロン（美容機器）に適用した実施例を示す。なお、この実施例における前後、左右、上下とは、図２および図５に示す交差矢印と、各矢印の近傍に表記した前後、左右、上下の表示に従う。図２においてストレートアイロンは、本体部１と、本体部１に着脱される保護キャップ２とで構成してある。本体部１は、左右に対向配置した第１挟み腕１１と第２挟み腕１２の基端どうしを揺動軸１３で連結して構成してある。各挟み腕１１・１２の下半部はグリップ１４になっており、上半部の対向面に髪処理部１５が設けてある。一対の髪処理部１５に髪を挟んで、加熱しながら毛先側へ向かってしごくことにより、縮れ毛やくせ毛をまっすぐに伸ばすことができる。
【００４３】
両挟み腕１１・１２は揺動軸１３のまわりに揺動開閉でき、図示していないばねで開き勝手に付勢されて、自由状態において図１に想像線で示す開放姿勢に保持される。開放姿勢になっている両挟み腕１１・１２を握り込むことにより、髪処理部１５の対向面のそれぞれに設けた加熱ブロック１６で髪を挟んで加熱できる。加熱ブロック１６の内部にはＰＣＴヒーター（加熱部）１７が配置してある。第２挟み腕１２の前面の基端寄りには、電源スイッチ１８と温度調整ボタン１９が設けてある。符号２０は本体部１の下端から導出された電源コード、符号２１は電源コード２０の導出端に固定した差込プラグ、符号２２はプラグ刃である。
【００４４】
保護キャップ２は、四角筒状のプラスチック成形品からなり、その下端に本体部１を装填するための装填口２３が開口してある。装填口２３と対向する上端の内奥部に、放熱開口２４が形成してある。保護キャップ２は、使用途中の本体部１を載置するための載置台を兼ねており、図４および図９に示すように横臥姿勢で載置面Ｔに載置した状態において、キャップ周面に載置面Ｔ上に載置される載置部２５と、本体部１を支持する受止部２６とが設けてある。また、放熱開口２４をＪ字状に凹ませて第１巻装部２７を形成し、装填口２３に臨む周壁を外側方へ膨出して第２巻装部２８を形成している。このように本実施例では、保護キャップ２の上端（一端）と下端（他端）の一側に設けた第１、第２の巻装部２７・２８で、電源コード２０を巻込み収納するコード巻装構造を構成している。
【００４５】
装填口２３に臨む保護キャップ２の前後の周壁には弾性腕３１・３１が設けられ、同腕３１の下端（遊端）の外面に長方形状の接脚体３２が膨出してある。弾性腕３１は、保護キャップ２の周壁に形成したスリット３３で区分されており、内外方向へ弾性変形できる。図２に示すように接脚体３２は、装填口２３より下方に突出されており、その外面の接脚面３４は保護キャップ２の周面より外方へ膨出してある（図９参照）。接脚体３２の上縁の左右には係合凹部３５が形成してある。
【００４６】
保護キャップ２の周面には、本体部１を保護キャップ２の周面から浮き離れた状態で支持する受止めリブの一群が形成してある。詳しくは、放熱開口２４の近傍のキャップ周面に周回状に形成される第１受止めリブ（受止めリブ）３８と、保護キャップ２の前後面の左隅に沿って形成される上下方向の第２受止めリブ（受止めリブ）３９・３９と、第１受止めリブ３８より下方のキャップ周面に周回状に形成される一群の第３受止めリブ（受止めリブ）４０とがキャップ周面に形成してある。第３受止めリブ４０は、弾性腕３１の外面にも形成してある。第１〜第３の各受止めリブ３８・３９・４０のキャップ周面からの膨出寸法は、第３受止めリブ４０が最も小さく、第２受止めリブ３９が最も大きい。キャップ周面に各受止めリブ３８・３９・４０の一群を設けることにより、後述するずれ止め突起４３・４４を受け入れる凹み部分が多数形成される。
【００４７】
本体部１を保護キャップ２に装填した状態において、保護キャップ２を本体部１に対して安定した状態で保持固定するために、両者１・２の間に保持構造を設けている。さらに、使用途中の本体部１を保護キャップ２に載置した状態において、本体部１がずれ動くのを防ぐために、両者１・２の間にずれ防止構造を設けている。
【００４８】
保護キャップ２の本体部１に対する保持構造は、保護キャップ２の前後壁の内面に設けた左右一対のガイドリブ４２と、先に説明した係合凹部３５と、本体部１の加熱ブロック１６の近傍に設けた合計８個のずれ止め突起４３・４４とで構成する。図３に示すように、ガイドリブ４２は、放熱開口２４からスリット３３の近傍にわたって平行に設けてある。ずれ止め突起４３・４４のうち、上端寄りのずれ止め突起４３は、加熱ブロック１６の上端近傍の両挟み腕１１・１２の前面および後面に配置してあり、下方のずれ止め突起４４は、加熱ブロック１６の下端近傍の両挟み腕１１・１２の前面および後面に配置してある。
【００４９】
図４、図７、図８に示すように、両ずれ止め突起４３・４４は山形に形成されて、その先端４３ａ・４４ａが丸めてある。本体部１を保護キャップ２に装填した状態では、上方の４個のずれ止め突起４３がガイドリブ４２で受止められて（図３、図６参照）、がた付きを生じる余地のない状態で保持されている。また、下方の４個のずれ止め突起４４の先端４４ａは、図５、図７に示すように、前後の接脚体３２の係合凹部３５にそれぞれ係合して、保護キャップ２が本体部１から分離するのを規制している。つまり、係合凹部３５とずれ止め突起４４とで、保護キャップ２が本体部１から分離するのを規制するロック構造を構成している。なお、本体部１を保護キャップ２に装填する過程では、下方のずれ止め突起４４の先端４４ａは、接脚体３２の内面に接当して弾性腕３１を弾性変形させながら接脚体３２を乗り越えたのち、係合凹部３５と係合する。
【００５０】
載置状態において本体部１のずれ動きを防ぐずれ防止構造は、先に説明した第２受止めリブ３９および第３受止めリブ４０と、本体部１に設けたずれ止め突起４３・４４で構成する。図１に示すように、本体部１は載置面Ｔに対して横臥姿勢にした保護キャップ２の上面に載置される。その場合には、揺動軸１３側の端部を載置面Ｔに置き、さらに両挟み腕１１・１２の下面の任意の位置を保護キャップ２の上周面に載置できるが、好適な載置姿勢として以下の姿勢が推奨される。
【００５１】
詳しくは図４に示すように、本体部１の重心の近傍に位置する下方のずれ止め突起４４が、上面に位置する第２受止めリブ３９で支持された状態で本体部１を載置する。この載置状態においては、本体部１が載置面Ｔに沿って保護キャップ２から遠ざかる向きに滑る傾向がある。しかし、図８に示すように、左右のずれ止め突起４４が第２受止めリブ３９に掛止されているので、本体部１が保護キャップ２の筒中心軸と交差する向きへ滑ることはない。
【００５２】
また、本体部１は保護キャップ２の筒中心軸に沿って左右方向へ遊動することができるが、本体部１が遊動する間もなく左右のずれ止め突起４４が間近に位置する第３受止めリブ４０で受止められる（図１参照）ので、それ以上本体部１が遊動することはない。したがって、図４に示す載置姿勢によれば、保護キャップ２に載置した本体部１を安定した状態で保持できる。また、第２受止めリブ３９に掛止するずれ止め突起４４によって、加熱ブロック１６を保護キャップ２から浮き離れた状態で支持できるので、加熱ブロック１６の熱が保護キャップ２へ伝導するのを極力避けることができる。
【００５３】
以上の説明から理解できるように、保護キャップ２に設けられて本体部１を支持する受止部２６は、基本的に第２受止めリブ３９と第３受止めリブ４０とで構成する。しかし、本体部１は、その両挟み腕１１・１２の任意の位置を保護キャップ２に載置でき、その場合には、第３受止めリブ４０のみで両挟み腕１１・１２の下面を支持することがある。また、上方のずれ止め突起４３を保護キャップ２の上周面で支持し、第３受止めリブ４０で本体部１の横移動を規制することがある。したがって本体部１にずれ止め突起４３・４４が設けてある本実施例の受止部２６は、保護キャップ２の上周面と第２受止めリブ３９と第３受止めリブ４０を含むことになる。因みに、本体部１にずれ止め突起４３・４４が設けてない場合には、第３受止めリブ４０が受止部２６として機能することになる。
【００５４】
図９に示すように、保護キャップ２を載置面Ｔ上に載置した状態においては、接脚体３２の接脚面３４が載置面Ｔで支持され、さらに下面側に位置する第１受止めリブ３８の接脚面３４が載置面Ｔで支持されて、保護キャップ２を載置面Ｔから浮き離れた状態で支持する。このように、保護キャップ２を浮き離れた状態で支持すると、保護キャップ２の熱が載置面Ｔへ伝導するのを極力避けることができる。
【００５５】
本体部１を保護キャップ２に載置するとき、誤って本体部１を保護キャップ２に対して衝撃を伴う状態で載置してしまうことがあるが、こうした場合には、載置面Ｔで支持されている弾性腕３１がキャップ内面側へ弾性変形して、本体部１の衝突衝撃を吸収する。つまり、弾性腕３１はクッション体として機能して、本体部１あるいは保護キャップ２の表面が傷ついたり、キャップの一部が破損するのを防止できる。以上の説明から理解できるように、本実施例における保護キャップ２の載置部２５とは、それぞれ載置面Ｔで支持される弾性腕３１に設けた接脚体３２と、第１受止めリブ３８とで構成してある。
【００５６】
因みに、保護キャップ２は図１に示すように放熱開口２４を左向きにした状態と、放熱開口２４を右向きにした状態で載置面Ｔに載置できるが、いずれの場合にも載置台として使用できるようにするために、載置部２５および受止部２６を前後一対ずつ設けている。詳しくは、保護キャップ２の前後面のそれぞれに第２受止めリブ３９を設けて、保護キャップ２の載置姿勢が右向きか左向きかとは無関係に、受止部２６で本体部１を支持できるようにしている。同様に、保護キャップ２の前後面のそれぞれに弾性腕３１および接脚体３２を設けて、保護キャップ２の載置姿勢が右向きか左向きかとは無関係に、載置部２５を載置面Ｔで支持できるようにしている。
【００５７】
図３に示すように放熱開口２４は、Ｊ字状の開口縁に沿って平行に配置した６個のリブ枠４７で覆われており、本体部１の内部の熱は放散できるが、指がキャップ内に入り込むのは規制できる構造となっている。リブ枠４７、および隣接するリブ枠４７間のスリットは、第１巻装部２７に巻き付けられた電源コード２０のずれを規制する構造としても機能している。放熱開口２４に臨む保護キャップ２の上端の前後中央には、電源コード２０の差込プラグ２１を保持する掛止フック（プラグ保持構造）４８が形成してある。第２巻装部２８は、膨出壁の開口縁に凹み形成したＵ字状の巻装凹部４９と、同凹部４９の間に形成される規制壁５０とで横臥Ｍ字状に構成してある。電源コード２０が巻装凹部４９から食み出るのを防ぐために、規制壁５０は装填口２３よりも下方へ突出してある。
【００５８】
不使用状態の本体部１は、図５に示すように保護キャップ２に装填してその髪処理部１５の外面を覆う。この装填状態においては、上方のずれ止め突起４３がガイドリブ４２で受止められ、下方のずれ止め突起４４の先端４４ａが接脚体３２の係合凹部３５にそれぞれ係合している。つまり、ずれ止め突起４４が弾性腕３１と係合して、保護キャップ２の分離を規制している。
【００５９】
本体部１を装填したのち、図１０に示すように、電源コード２０を第１巻装部２７と第２巻装部２８とに巻き掛け、差込プラグ２１の近傍の電源コード２０を掛止フック４８に掛止した状態で収納する。この状態では、電源コード２０が保護キャップ２の前後周面を斜めに横切って、電源コード２０の一部が第３受止めリブ４０に接当して弾性腕３１の外面と対向する。そのため、弾性腕３１が外向きに弾性変形するのを電源コード２０で規制でき、これによりずれ止め突起４４の先端４４ａと係合凹部３５との係合状態が解除されるのを阻止して、保護キャップ２が本体部１から分離するのを確実に防止できる。
【００６０】
図１１は本発明をロールアイロン（美容機器）に適用した別実施例を示す。図１１においてロールアイロンは、本体部１と、本体部１に着脱される保護キャップ２とで構成する。本体部１の下半部はグリップ１４になっており、上半部は髪処理部１５になっている。髪処理部１５は、丸棒状のロール軸５１と、ロール軸５１と協同して髪を挟み保持する押えアーム５２と、ロール軸５１の内部に配置したヒーター（加熱部）１７とで構成する。押えアーム５２は、揺動軸５３を中心にして揺動開閉でき、図示していないばねで閉じ勝手に付勢してある。符号５４は押えアーム５２を開閉操作するハンドルである。グリップ１４の上端の周面には、前後一対のずれ止め突起４４が設けてある。髪巻き軸５１に髪を巻き付けて押えアーム５２で挟み、髪を加熱しながら毛先側へ向かってしごくことにより髪をカールすることができる。
【００６１】
保護キャップ２の基本構造は、実施例１で説明した保護キャップ２と概ね同じであるが、次の点が異なる。弾性腕３１を規制壁５０と対向するキャップ周壁にのみ設け、その接脚体３２に、ずれ止め突起４４と係合する係合凹部３５を設けた。この実施例においては、接脚体３２を利用して載置部２５を構成できないので、装填口２３側の下面に接脚体３２に相当する脚構造を設けるとよい。他は先の実施例と同じであるので、同じ部材に同じ符号を付して、その説明を省略する。以下の実施例においても同じとする。
【００６２】
図１２、図１３は保護キャップ２のさらに別の実施例を示す。そこでは、ずれ防止構造を保護キャップ２の周面に設けた左右２個所の受凹部（凹部）５６で構成して、本体部１が左右方向へずれ動くのを規制できるようにした。この受凹部５６は受止部２６を兼ねている。また、図１３で示すように、保護キャップ２の下面に接脚リブ（接脚体）５７を突設して、接脚リブ５７と接脚体３２が載置部２５を構成するようにした。
【００６３】
図１４は保護キャップ２のさらに別の実施例を示す。そこでは、ずれ防止構造を保護キャップ２の周面の左右２個所に設けた突起５８と、突起５８に対応して両挟み腕１１・１２に形成した凹部５９とで構成した。このように、互いに係合する突起５８と凹部５９とでずれ防止構造を構成すると、保護キャップ２に載置した状態の本体部１が、保護キャップ２から遠ざかる向きに滑り移動し、あるいは左右方向へ滑り移動するのを同時に防ぐことができる。
【００６４】
図１５は保護キャップ２のさらに別の実施例を示す。そこでは、一方のスリット３３に連続する左右方向に平坦な段落部６１と、規制壁５０とで第２巻装部２８を構成するようにした。このように、第１巻装部２７および第２巻装部２８は、電源コード２０を巻掛けることができる構造であればよく、巻装凹部４９のように凹み形成する必要はない。
【００６５】
図１６、図１７は保護キャップ２のさらに別の実施例を示す。そこでは、コード巻装構造を、保護キャップ２の周面の一端寄りに設けた第１巻装突起６３と、保護キャップ２の周面の他端寄りに設けた第２巻装突起６４とで構成した。第１巻装突起６３、および第２巻装突起６４はそれぞれＬ字状の突起からなり、保護キャップ２を載置面Ｔに載置した状態において、横向きに突出する壁が互いに逆向きに突出するように配置してある。また、この実施例ではコード巻装構造を、保護キャップ２の前面に配置するので、保護キャップ２の端部に籠状の通気キャップ６５を固定して、通気キャップ６５の周面の全体に一群のスリットからなる放熱開口２４を形成した。掛止フック４８は通気キャップ６５と一体に形成した。不使用時の電源コード２０は、図１７に示すように、第１巻装突起６３と第２巻装突起６４に巻掛けたのち、差込プラグ２１の近傍の電源コード２０を掛止フック４８に掛止した状態で収納する。
【００６６】
図１８は保護キャップ２のさらに別の実施例を示す。そこでは、プラグ保持構造を、差込プラグ２１のプラグ刃２２が差込み保持されるプラグ穴６７で構成した。詳しくは、先の通気キャップ６５の前面に板状のブラケット６８を突設し、ブラケット６８に形成した一対のプラグ穴６７にプラグ刃２２を差込み固定できるようにした。
【００６７】
図１９、図２０は保護キャップ２のさらに別の実施例を示す。そこでは、放熱開口２４の近傍のキャップ周面に２個の第１受止めリブ３８を周回状に形成し、その前後面に接脚リブ７１を突接した。また、弾性腕３１の接脚体３２を、長方形状のベース部７２と、ベース部７２の外面に突設される２個の接脚リブ７３とで構成した。両接脚リブ７１・７３は、図２０に示すように楔状に形成されて、第２受止めリブ３９の側へ向かって下り傾斜する接脚面３４を備えている。このように、両接脚リブ７１・７３に下り傾斜する接脚面３４を設けると、保護キャップ２を載置面Ｔに載置した状態において、保護キャップ２の下面と載置面Ｔとの対向隙間を接脚面３４の傾斜角度の分だけ大きくできる。したがって、保護キャップ２から載置面Ｔへの熱伝導量をさらに小さくできる。
【００６８】
上記のように保護キャップを備えた美容機器は、以下の実施形態で実施することができる。
髪処理用の加熱部１７を備えている本体部１と、本体部１に装着した状態において加熱部１７の外面を覆う筒状の保護キャップ２とを備えており、
保護キャップ２の外面に、本体部１から導出された電源コード２０を巻込み収納するコード巻装構造が設けてある美容機器（実施形態１）。
【００６９】
コード巻装構造が、保護キャップ２の一端に設けた第１巻装部２７と、保護キャップ２の他端一側に設けた第２巻装部２８とで構成してある美容機器（実施形態２）。
【００７０】
保護キャップ２の一端を第２巻装部２８の側へ向かって凹ませて第１巻装部２７が形成されており、
第１巻装部２７の凹み縁に沿って、複数のリブ枠４７で区分される放熱開口２４が形成してある美容機器（実施形態３）。
【００７１】
第２巻装部２８が、第１巻装部２７の側へ向かって凹む一対の巻装凹部４９と、両巻装凹部４９の間に配置される規制壁５０とで構成されており、
規制壁５０の突端が、保護キャップ２の装填口２３より突出する状態で形成してある美容機器（実施形態４）。
【００７２】
第１巻装部２７の近傍に、電源コード２０の差込プラグ２１を保持するプラグ保持構造が設けてある美容機器（実施形態５）。
【００７３】
プラグ保持構造が、第１巻装部２７の周縁から突設された掛止フック４８で構成してある美容機器（実施形態６）。
【００７４】
装填口２３に臨む保護キャップ２の周壁に、内外方向へ弾性変形可能な弾性腕３１が設けられており、
本体部１を保護キャップ２に装填した状態において、互いに係合して保護キャップ２の分離を規制するロック構造が本体部１と弾性腕３１との間に設けられており、
第１巻装部２７と第２巻装部２８に巻込んだ電源コード２０の一部が弾性腕３１の外面と対向して、弾性腕３１の外向きの弾性変形を規制している美容機器（実施形態７）。
【００７５】
電源コード２０が弾性腕３１の外面に接当して弾性腕３１の外向きの弾性変形を規制している美容機器（実施形態８）。
【００７６】
弾性腕３１の外面に複数の受止めリブ４０が突設されており、
電源コード２０が受止めリブ４０に接当して弾性腕３１の外向きの弾性変形を規制している美容機器（実施形態９）。
【００７７】
保護キャップ２の周面に、本体部１を保護キャップ２の周面から浮き離れた状態で支持する複数の受止めリブ３８・３９・４０が形成してある記載の美容機器（実施形態１０）。
【００７８】
保護キャップ２と本体部１との間に、保護キャップ２に載置した本体部１のずれ動きを防ぐずれ防止構造が設けられており、
ずれ防止構造が、本体部１に設けたずれ止め突起４３・４４と、保護キャップ２の周面に設けた凹み部分とで構成してある美容機器（実施形態１１）。
【００７９】
弾性腕３１の遊端の外面に載置部２５を構成する接脚体３２が設けられており、
接脚体３２は、ベース部７２と、ベース部７２の外面に突設される接脚リブ７３とで構成されており、
本体部１を受止部２６で支持する状態において、弾性腕３１が弾性変形してクッション機能を発揮できる美容機器（実施形態１２）。
【００８０】
以上のように構成した実施形態１〜１２の美容機器は、それぞれ以下の作用効果を発揮できる。
実施形態１の美容機器によれば、本体部１から導出された電源コード２０をコード巻装構造に巻込むことができるので、本体部１と保護キャップ２と電源コード２０の三者をコンパクトにまとめた状態で収納し、あるいは取り扱うことができる。また、保護キャップ２が本体部１から分離するのを、コード巻装構造に巻込んだ電源コード２０で規制できるので、保護キャップ２を紛失することがなく、全体として本体部１に付随する電源コード２０を、保護キャップ２を利用して整然と巻込み収納できる美容機器が得られる。
【００８１】
保護キャップ２の一端に設けた第１巻装部２７と、保護キャップ２の他端に設けた第２巻装部２８とでコード巻装構造を構成する実施形態２の美容機器によれば、保護キャップ２の長手方向に沿って電源コード２０を巻込み収納できる。したがって、コード巻装構造に巻付けるときの、電源コード２０の巻付け回数を少なくして、電源コード２０を収納する手間を省くことができるうえ、電源コード２０の巻姿が肥大化するのを避けてコンパクトにできる。
【００８２】
第１巻装部２７の凹み縁に沿ってリブ枠４７で区分される放熱開口２４を形成する実施形態３の美容機器によれば、電源コード２０を第１巻装部２７に巻付けるとき、リブ枠４７および隣接するリブ枠４７間の隙間が電源コード２０の滑止めとして機能する。したがって、第１巻装部２７に対する電源コード２０の巻付け作業を、確実かつ円滑に行える。また、使用直後の本体部１を保護キャップ２に装填した状態において、加熱部１７から保護キャップ２の内部へ放出された熱を、放熱開口２４から効果的に放出できる。したがって、加熱部１７の熱が保護キャップ２の内部に籠るのを解消して、使用直後の美容機器の取扱いを安全に行える。
【００８３】
一対の巻装凹部４９と規制壁５０で第２巻装部２８を構成し、規制壁５０の突端を保護キャップ２の装填口２３より突出する実施形態４の美容機器によれば、第２巻装部２８に巻付けた電源コード２０が、同巻装部２８から分離するのを規制壁５０で規制できる。また、装填口２３より外方へ突出する規制壁５０をガイドにして、電源コード２０を第２巻装部２８に巻付けることができるので、電源コード２０の保護キャップ２に対する巻付け作業を簡便に行うことができる。
【００８４】
実施形態５の美容機器においては、第１巻装部２７の近傍にプラグ保持構造を設けるので、電源コード２０をコード巻装構造に巻付けたのち、差込プラグ２１をプラグ保持構造に装着することにより、電源コード２０が解離するのを防止できる。したがって、電源コード２０をコード巻装構造に巻付けたコンパクトな状態のままで美容機器を収納し保管できる。
【００８５】
プラグ保持構造を掛止フック４８で構成する実施形態６の美容機器によれば、コード巻装構造から食み出た電源コード２０の長さが大小に異なる場合であっても、電源コード２０を掛止フック４８に支障なく装着して、電源コード２０の解離を確実に防止できる。さらに、ユーザーの好みや必要に応じて、電源コード２０の任意の位置を掛止フック４８に装着できる。
【００８６】
保護キャップ２の分離を規制するロック構造を本体部１と保護キャップ２との間に設ける実施形態７の美容機器によれば、保護キャップ２が本体部１から分離するのをロック構造で規制できる。したがって、収納時や美容機器の取り扱い時に、保護キャップ２が脱落して加熱部１７や髪処理部１５が露出するのを防止でき、加熱部１７および髪処理部１５の保護を適確に行なえる。また、第１巻装部２７と第２巻装部２８に巻込んだ電源コード２０の一部を弾性腕３１の外面と対向させると、弾性腕３１が外向きに弾性変形するのを電源コード２０で規制できる。したがって、電源コード２０をコード巻装構造から取り外さない限りは、ずれ止め突起４４と弾性腕３１との係合状態を維持し続けて、保護キャップ２が本体部１から脱落するのを防止できる。
【００８７】
実施形態８の美容機器においては、コード巻装構造に巻付けた電源コード２０を弾性腕３１の外面に接当させて、弾性腕３１の外向きの弾性変形を規制できる。したがって、電源コード２０がコード巻装構造に緩めに巻付けられているような場合であっても、弾性腕３１が外向きに弾性変形するのを確実に防止して、ロック構造が外力を受けてロック解除状態に切換わるのを防止できる。
【００８８】
さらに、弾性腕３１の外面に複数の受止めリブ４０を突設する実施形態９の美容機器によれば、コード巻装構造に巻付けた電源コード２０で受止めリブ４０を押えて、弾性腕３１の外向きの弾性変形を規制できる。このように、電源コード２０を受止めリブ４０で受止めるようにすると、電源コード２０を保護キャップ２の周面から浮き離れた状態で巻装できる。したがって、使用直後の本体部１を保護キャップ２に装填した状態において、加熱部１７の熱が保護キャップ２の周囲壁を介して電源コード２０に伝導されるのを防止して、電源コード２０の劣化を解消できる。
【００８９】
保護キャップ２の周面に複数の受止めリブ３８・３９・４０を形成する実施形態１０の美容機器によれば、各リブ３８・３９・４０で本体部１を受止めることにより、本体部１を保護キャップ２の周面から浮き離れた状態で支持して、両者１・２の接触面積を小さくできる。したがって、本体部１に設けた加熱部１７の熱が保護キャップ２の側へ伝導するのを抑制でき、たとえ本体部１が長時間にわたって放置されるような場合であっても、保護キャップ２が高温になるのを解消できる。周面に形成した複数の受止めリブ３８・３９・４０で保護キャップ２の構造強度を向上し堅牢度を向上できる利点もある。
【００９０】
本体部１に設けたずれ止め突起４３・４４と、保護キャップ２の周面に設けた凹み部分とでずれ防止構造を構成する実施形態１１の美容機器によれば、保護キャップ２に載置した状態の本体部１に誤って接触した場合などに、本体部１が保護キャップ２の周面に沿ってずれ動くのを防止して、本体部１を安定した状態で支持できる。また、ずれ止め突起４３・４４と凹み部分とが係合しあって本体部１のずれ動きを規制するので、本体部１が外力を受けて載置位置からずれ落ちるのを確実に防止できる。したがって、保護キャップ２からずれ落ちた本体部１の加熱部１７が使用者の肌に接触して火傷を負ったり、可燃物が加熱部１７の熱を受けて過熱状態に陥って焼け焦げ、あるいは耐熱性に劣るプラスチック成形品が熱変形するなどの、加熱部１７に由来する事故を良く防止できる。
【００９１】
弾性腕３１の遊端にベース部７２と接脚リブ７３とからなる接脚体３２を設け、この接脚体３２で載置部２５を構成する実施形態１２の美容機器によれば、弾性腕３１が弾性変形することでクッション機能を発揮できる。たとえば、本体部１を保護キャップ２に載置するとき、誤って本体部１を保護キャップ２に対して衝撃を伴う状態で載置してしまうことがあるが、こうした場合に、弾性腕３１が弾性変形して本体部１の衝突衝撃を吸収できる。したがって、本体部１が衝撃を伴う状態で載置されるような場合であっても、本体部１あるいは保護キャップ２の表面が傷ついたり、保護キャップ２の一部が破損するのを防止できる。また、接脚リブ７３の突出寸法分だけ保護キャップ２を載置面Ｔから浮き離れた状態で支持して、両者２・Ｔの接触面積を小さくできる。したがって、保護キャップ２の熱が載置面Ｔの側へ伝導するのを抑制して、載置面Ｔが過熱状態に陥る危険性をさらに低減できる。
【００９２】
上記の実施例では美容機器の適用例として、ストレートアイロンとロールアイロンを例示したが、本発明は髪処理部１５の構造や機能とは無関係に、髪処理部１５に加熱部１７を備えている美容機器の全てに適用できる。
【００９３】
図１から図１０で説明した保護キャップ２においては、その前後面の左隅に沿って第２受止めリブ３９を形成したがその必要はなく、例えば、保護キャップ２の前後面の左右中央に第２受止めリブ３９を配置することができる。弾性腕３１および接脚体３２は、少なくとも載置面Ｔで支持される側のキャップ周面の１個所に設けてあれば足りる。ずれ止め突起４３・４４は軸状に形成できる。
【符号の説明】
【００９４】
１  本体部
２  保護キャップ
１７  加熱部
２３  装填口
２５  載置部
２６  受止部
２７  第１巻装部
２８  第２巻装部
３１  弾性腕
３２  接脚体
３５  係合凹部
３８  受止めリブ（第１受止めリブ）
３９  受止めリブ（第２受止めリブ）
４０  受止めリブ（第３受止めリブ）
４３  ずれ止め突起
４４  ずれ止め突起
【図１】
0005647911.tif 000002
【図２】
0005647911.tif 000003
【図３】
0005647911.tif 000004
【図４】
0005647911.tif 000005
【図５】
0005647911.tif 000006
【図６】
0005647911.tif 000007
【図７】
0005647911.tif 000008
【図８】
0005647911.tif 000009
【図９】
0005647911.tif 000010
【図１０】
0005647911.tif 000011
【図１１】
0005647911.tif 000012
【図１２】
0005647911.tif 000013
【図１３】
0005647911.tif 000014
【図１４】
0005647911.tif 000015
【図１５】
0005647911.tif 000016
【図１６】
0005647911.tif 000017
【図１７】
0005647911.tif 000018
【図１８】
0005647911.tif 000019
【図１９】
0005647911.tif 000020
【図２０】
0005647911.tif 000021